(57)【特許請求の範囲】
【請求項１】
少なくとも内側膜体、外側膜体、及び該内側膜体と外側膜体とをつなぐリブ状ホホズエ膜により形成される空気室を有し、該リブ状ホホズエ膜に空気が流通するための開口部を設け、該空気室への加圧気体の注入により屋根状の立体形状となる空気膜構造体において、
前記の内側膜体は重量３０〜２００ｇ／ｍ2であって、通気度が実質的に０ｃｃ／ｓｅｃ・ｃｍ2の膜体であり、
前記の外側膜体は重量３０〜２００ｇ／ｍ2であって、通気度が０．０１〜０．３ｃｃ／ｓｅｃ・ｃｍ2の膜体であることを特徴とする空気膜構造体。
【請求項２】
前記の空気室内へ空気を加圧注入する送風機、及び該空気室内へ注入する空気の加熱ヒータとが着脱自在に付設された請求項１記載の空気膜構造体。
【発明の詳細な説明】
【０００１】
【発明の属する技術分野】
本発明は、船舶の修理や塗装などの工事現場、建築工事現場、仮設展示場、球技場などの作業空間全体を覆って、降雪時でも作業が出来るようにすための軽量な空気膜構造体に関するものである。
【０００２】
【従来の技術】
従来、屋外における作業は、雨天や降雪の際は作業を中止し、降雨、降雪が止むのを待って作業の続行を行っている。しかしながら、このような降雨、降雪などの天気に左右されずに、効率的に仕事が行なえるように大型の屋根状膜構造体が提案されている。たとえぱ、このような雨天或いは降雪時の作業空間を確保する方法として、パイプ材などからなる骨組みをシートで覆う構造のものがあるが、大型になるとパイプ材などの重量が増大して運搬、設営、解体に費やす労力が非常に大きくなるという問題がある。
【０００３】
この問題を解決する方法として、送風機等により空気膜構造体内に空気を注入して屋根状形状とし、作業空間を確保する空気膜構造体がある。しかしながら、この空気膜構造体の場合、降雨には対応できるが、大量の積雪があった場合には雪の重量で空気膜構造体が押し潰され、作業空間が確保できなくなる、という問題を有している。
【０００４】
そこで、このような欠点を克服するために、特開昭５２−１５２６１３号公報には、空気膜構造体の屋根に散水管を取り付けて、散水により積雪を除去する方法が提案されている。しかしながら、この方法では大量の水が必要であること、及び厳寒時には配管が凍結してしまうといった問題がある。更には、配管等を空気膜構造体に取り付ける必要があるため、設営、解体に時間を要するという欠点がある。
【０００５】
また、特開昭５６−１０２２０５号公報には、気密性を有する膜体の内側に保温室を設け、該保温室へ温風を供給することにより膜体自体を加熱し、膜体外側の積雪を融かす方法が提案されている。しかしながら、この方法では加熱された膜体からの熱伝導によってのみ膜体外側の雪に熱を伝えて融雪を行っているため、効率が悪く、大雪に対しては融雪効果が殆どない、という問題を有している。また、保温室を構成する側部壁、下部壁をそれぞれ別パーツとしているため、構成が複雑であって、しかも、温風を供給するダクトを空気膜構造体自体に取り付ける必要があるため空気膜構造体の重量が増すという欠点も有している。
【０００６】
【発明が解決しようとする課題】
本発明は、上述のような問題に鑑み、設営、解体、運搬が容易であり、かつ有効に空気膜構造体上の積雪を除去することができる、融雪機能を備えた軽量な空気膜構造体を提供することにある。
【０００７】
【課題を解決するための手段】
ここに、本発明によれば、少なくとも内側膜体、外側膜体、及び該内側膜体と外側膜体とをつなぐリブ状ホホズエ膜により形成される空気室を有し、該リブ状ホホズエ膜に空気が流通するための開口部を設け、該空気室への加圧気体の注入により屋根状の立体形状となる空気膜構造体において、
前記の内側膜体は重量３０〜２００ｇ／ｍ2であって、通気度が実質的に０ｃｃ／ｓｅｃ・ｃｍ2の膜体であり、前記の外側膜体は重量３０〜２００ｇ／ｍ2であって、かつ通気度が０．０１〜０．３ｃｃ／ｓｅｃ・ｃｍ2の膜体であることを特徴とする空気膜構造体が提供される。
【０００８】
このとき、積雪時の空気膜構造体上の積雪を融かすために、前記の空気室内へ加熱空気を加圧注入する送風機、及び該空気室内へ注入する空気の加熱ヒータが着脱自在に付設された空気膜構造体とすることが好ましい。
【０００９】
【発明の実施の形態】
以上に述べた本発明の実施の形態について、以下に図面を参照しながら、その作用と共に詳細に説明する。
【００１０】
図１は、本発明の積雪時においても使用可能な空気膜構造体を例示した一部に断面を含む斜視図である。
該図において、１は空気膜構造体の本体（以下、「本体」という。）、２は外側膜体、３は内側膜体、４はリブ状ホホヅエ膜であって、これらによって空気室が形成され、この空気室に加圧注入された空気によって屋根状の立体形状が形成される。なお、リブ状ホホヅエ膜（４）は内側膜体（３）と外側膜体（４）とを連結すると共に、空気室全体に空気が流通するように円形の開口部（６）が設けられている。このため、空気室に加圧空気が注入されると、空気膜構造体自体が所定の屋根状立体形状に形成されるのである。また、５は外側リブ、７は空気給排気口であって、該空気給排気口（７）は本体（１）を折り畳む際に本体内の空気を迅速に排気する観点から複数個取り付けられていることが好ましいが、その数は空気膜構造体の形状、大きさ、構造などにより適宜決められる。
【００１１】
次に、図２は、図１に示した空気膜構造体に融雪機能を付与した実施例を示した正面図である。該図において、１は本体、７は空気給排気口、８はヒーター、９は送風ダクト、１０は送風機、１１は本体固定用ペグ、１２は本体固定用ベルトをそれぞれ示す。ここで、送風機（１０）は送風ダクト（９）の一方端と着脱自在に、かつ空気漏れがないように連結され、送風ダクト（９）の他方端は着脱自在のヒーター（８）を介して、空気給排気口（７）と空気漏れがないように着脱自在に連結されている。
【００１２】
なお、本体（１）に使用する膜体としては、例えばポリエステル繊維、ポリアミド繊維、アラミド繊維、炭素繊維、ポリオレフィン繊維、及びポリアリレート繊維の群から選ばれた少なくとも１種の繊維からなる織編物の片面または両面にポリウレタン、アクリルゴム、ふっ素ゴム、塩化ビニル系樹脂等をコーティング加工したものを使用することが出来る。このとき、外側膜体の少なくとも積雪部の通気度は０．０１〜０．３ｃｃ／ｓｅｃ・ｃｍ2とすることが好ましく、内側膜体の通気度は実質的に０ｃｃ／ｓｅｃ・ｃｍ2としておくことが好ましい。何故ならば、本体（１）の外側膜体上の積雪を効率良く融雪するためには、選択的に外側膜体及び該膜体の縫製部分から温風（熱風）の流出を行なう必要が有り、このためには、作業空間に面する内側膜体から温風（熱風）は流出することがないようにすることが好ましいからである。また、本発明では、外側膜体上の積雪を融雪することが必須であることから、少なくとも外側膜体の積雪部の通気度を上記のような範囲に設定しておく必要がある。なお、通気度の試験方法は「ＪＩＳ  Ｌ１０９６  一般織物試験方法の通気性の試験法」で行った。具体的には、１．２７ｃｍ水柱の圧力を膜体に負荷して、膜体を通過する空気量（ｃｍ３／ｃｍ２・ｓ）を求めた。
【００１３】
ここで、外側膜体の積雪部の通気度が０．３ｃｃ／ｓｅｃ・ｃｍ2を越えると、本体（１）の空気室内の圧力が低下しその形態保持性がなくなり好ましくない。また、０．０１ｃｃ／ｓｅｃ・ｃｍ2未満であれば、温風或いは熱風の外側膜体からの積雪部への排出が十分でなく、融雪効果が低下するため好ましくない。
【００１４】
次に、内側膜体と外側膜体のそれぞれの重量は、３０〜２００ｇ／ｍ2とすることが好ましい。何故ならば、重量が上記の範囲内にあれば、膜体自体の重量を軽量化することができ、空気膜構造体の設営を迅速かつ簡便に行なえるという作業上の要請を満足させると共に、膜体の引き裂き強度、引張強度等の機械的物性をも同時に満足させることができるからである。つまり、重量が２００ｇ／ｍ2を越えると、設営、解体等の作業が面倒で時間を要し、一方３０ｇ／ｍ2未満であると、空気膜構造体自体の機械的物性が低下し安定した使用が難しい。
【００１５】
また、空気室へ注入する空気を加熱するヒーター（８）としては、電気加熱ヒーター、ガスヒーター、灯油・石油ヒーター等の公知の加熱手段を使用することができる。なお、ヒーター（８）と送風機（１０）とはそれぞれ独立した機能を持つものを使用しても良いし、ヒーター（８）と送風機（１０）を一体化した熱風発生機を使用することもできる。ここで、送風機（１０）としては、ブロアーやファンを好適に使用することができ、本体（１）からの空気の漏れ量より多くの風量を供給することで、本体（１）の形状保持が可能な静圧を発生させることができるものであれば好適に使用できる。
【００１６】
さらに、外側膜体の積雪面に積雪センサーを取り付け、積雪の程度を検知し、ヒータ（８）及び送風機（１０）の出力を制御し、融雪に必要な熱量及び膜体及び／又は縫製部分からの温風或いは熱風の漏れ流量を可変とすることができる。
【００１７】
ここで、加熱気体の温度としては、２０℃〜１５０℃であることが好ましい。なお、加熱気体の温度が２０℃以下では、膜体及び／又は縫製部分から漏れる温風或いは熱風による熱伝達でも融雪可能な熱量を積雪に与えることはできない。一方、加熱気体の温度が１５０℃以上となると膜体自体に耐熱性が要求されると共に、膜体の寿命を急速に縮めることになって好ましくない。
【００１８】
【発明の効果】
以上に述べたように、本発明によれば、降雪時でも積雪による空気膜構造体の倒壊を引き起こすことなく、しかも、構成が簡単かつ軽量なため、設営、解体、運搬等の作業が容易である空気膜構造体を提供できる、という格別顕著な効果を奏する。
【図面の簡単な説明】
【図１】本発明の空気膜構造体を例示した一部に断面を含む斜視図である。
【図２】本発明の融雪機能を有する空気膜構造体を例示した正面図である。
【符号の説明】
１  空気膜構造体本体
２  外側膜体
３  内側膜体
４  リブ状ホホヅエ膜
６  開口部
７  空気給排気口
８  ヒーター
９  送風ダクト
１０  送風機
【図１】
0003660769.tif 000002
【図２】
0003660769.tif 000003